【手続補正書】
【提出日】平成19年6月12日(2007.6.12)
【手続補正１】
【補正対象書類名】明細書
【補正対象項目名】全文
【補正方法】変更
【補正の内容】
【書類名】      明細書
【発明の名称】  弾球遊技機
【特許請求の範囲】
【請求項１】  少なくとも遊技盤の遊技領域を透視し得る透視窓に取り付けられる透明板を有する透明板保持部と、発射すべき打玉を貯留して発射位置に誘導する貯留部と、が前記遊技盤を装着する枠基体に対して開閉自在に設けられる弾球遊技機において、
前記透明板保持部と前記貯留部とが合成樹脂によって一体的に形成された前面開閉枠によって構成されると共に、その前面開閉枠には、前記透明板保持部と前記貯留部とに亘って縦方向に起伏部を形成したことを特徴とする弾球遊技機。
【請求項２】  前記前面開閉枠の裏側には、その左右両端辺に沿って金属製の補強部材を設けたことを特徴とする請求項１記載の弾球遊技機。
【請求項３】  前記前面開閉枠の裏側には、その上辺に沿って金属製の補強部材を設けたことを特徴とする請求項１又は請求項２に記載の弾球遊技機。
【請求項４】  前記前面開閉枠には、その周縁に沿って後方に向かって突設される補強周枠リブを一体的に形成すると共に前記金属製の補強部材に前記補強周枠リブより高い防犯立片を一体的に形成する一方、前記枠基体の周辺に前記防犯立片が挿入される防犯溝を形成したことを特徴とする請求項２又は請求項３に記載の弾球遊技機。
【発明の詳細な説明】
【０００１】
【発明の属する技術分野】
本発明は、少なくとも遊技盤の遊技領域を透視し得る透視窓に取り付けられる透明板を有する透明板保持部と、発射すべき打玉を貯留して発射位置に誘導する貯留部と、が前記遊技盤を装着する枠基体に対して開閉自在に設けられる弾球遊技機に関するものである。
【０００２】
【従来の技術】
従来、遊技盤の遊技領域を透視し得る透視窓に取り付けられる透明板を有する透明板保持部と、発射すべき打玉を貯留して発射位置に誘導する上皿を有する貯留部とは、それぞれ独立した開閉扉状に形成されて枠基体（一般的に前面枠と言われている）に開閉自在に設けられている。そして、従来、木製又は金属板製で構成されていた透明板保持開閉扉及び上皿開閉扉をそれぞれ合成樹脂で形成して装飾効果を高めたり、あるいは複雑形状に加工できる利点を採用してインパクトのある正面形状にするという傾向がある。
【０００３】
【発明が解決しようとする課題】
しかしながら、特に、正方形状に形成される透明板保持開閉扉は、遊技盤の遊技領域を視認するための比較的大きな透視窓が形成されているため、透明板保持開閉扉を合成樹脂で形成する場合には、従来の木製のものに比較して強度的に弱いという欠点があった。本発明は、上記した事情に鑑みなされたもので、その目的とするところは、十分な強度を有する透明板保持部を有する開閉枠を有する弾球遊技機を提供することにある。
【０００４】
【課題を解決するための手段】
上記した目的を達成するために本発明が採用した解決手段を図面を参照して説明すると、図１に示すように、少なくとも遊技盤１６の遊技領域２２を透視し得る透視窓５に取り付けられる透明板としての複層ガラス板３９４を有する透明板保持部５００と、発射すべき打玉を貯留して発射位置に誘導する貯留部としての上皿部５０１と、が遊技盤１６を装着する枠基体３に対して開閉自在に設けられる弾球遊技機１において、透明板保持部５００と上皿部５０１とが合成樹脂によって一体的に形成された前面開閉枠４によって構成されると共に、その前面開閉枠４には、透明板保持部５００と上皿部５０１とに亘って縦方向に起伏部３３３を形成したことを特徴とするものである。このように構成することにより、大型の透視窓５が形成されていることによって強度的に弱い透明板保持部５００を表面に上皿部５０１が一体的に形成されることによって補強されることに加えて、起伏部３３３によっても補強されるので、前面開閉枠４の全体の強度が向上し、破損しやすいという欠点がなくなる。
【０００５】
また、図１１に示すように、前面開閉枠４の裏側には、その左右両端辺に沿って金属製の補強部材３２２，３２３，３２５を設けることにより、更に、前面開閉枠４の強度を増し、同じく、図１１に示すように、前面開閉枠４の裏側には、その上辺に沿って金属製の補強部材３２４を設けることにより、捩れ方向に対する強度も向上する。
【０００６】
また、図４，図１１，図１６に示すように、前面開閉枠４には、その周縁に沿って後方に向かって突設される補強周枠リブ３００を一体的に形成すると共に金属製の補強部材としての補強防犯金具３２３，３２４，３２５に前記補強周枠リブ３００より高い防犯立片３２９を一体的に形成する一方、枠基体３の周辺に防犯立片３２９が挿入される防犯溝１０３を形成することにより、前面開閉枠４を閉じたときに、防犯立片３２９が防犯溝１０３に侵入するので、前面開閉枠４と枠基体３との境目からピアノ線等の細い針金を差し込む不正を防止することができる。
【０００７】
【発明の実施の形態】
（１）弾球遊技機の全体の構造
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【０００８】
弾球遊技機１は、縦長な方形状に枠組み形成される外枠２（図１３参照）と、該外枠２の一側に開閉自在に軸支され且つ弾球遊技機１の主要構成部のほぼすべてが集約して設けられる枠基体３と、該枠基体３の前面に開閉自在に設けられる前面開閉枠４とから構成されている。また、枠基体３に設けられる主要構成部としては、上記した前面開閉枠４、遊技盤１６、上皿６、灰皿８を含む下皿７、操作ハンドル９、機構板４０等がある。また、図示の実施形態では、弾球遊技機１の側方に遊技者に遊技玉を貸し出すためのユニット装置としてのカードユニット装置１１が付設されている。なお、外枠２の下部前面には、当て板１０が固着されており、閉成時に当て板１０の上辺に枠基体３が載置するようになっている。したがって、外枠２に枠基体３を開閉自在に軸支するための軸支金具３６（図１３参照）のうち下部の軸支金具（図示しない）は、当て板１０の一側上辺に固着されることとなる。
【０００９】
前面開閉枠４は、後述する遊技盤１６の遊技領域２２をほぼ透視し得る円形透視窓５が開設されると共に該円形透視窓５の裏面から透明板としての複層ガラス板３９４が装着される透明板保持部５００と、発射すべき打球が貯留され且つ発射位置に供給するための上皿６が取り付けられる貯留部としての上皿部５０１とが合成樹脂によって一体的に形成されたものである。なお、透視窓５は、特に円形に限定するものではなく例えば方形等でもよいが、強度を校了すると円形が望ましい。また、透明板として複層ガラス３９４に限定するものではなく、例えば、１枚の透明合成樹脂板でも良い。なお、前面開閉枠４についての詳細な構成については、後に詳述する。
【００１０】
カードユニット装置１１は、前記上皿６の上面に設けられる後述する操作部を操作することにより作動されるものである。しかして、カードユニット装置１１は、使用可能状態であるか否かを表示する使用可能表示器１２と、当該カードユニット装置１１がいずれの側の弾球遊技機１に対応しているか否かを表示する連結台方向表示器１３と、記録媒体としての磁気カードを挿入するカード挿入口１４とが設けられている。そして、このように構成されるカードユニット装置１１は、独自の制御回路によって制御されるものであるが、後述する賞球払出制御基板７３とカードユニット配線１５を介して接続されている。なお、カードユニット装置１１を弾球遊技機１に内蔵しても良い。また、本実施形態においては、遊技者に遊技玉を貸し出すためのユニット装置としてカードユニット装置１１を例示したが、例えば、紙幣等を挿入し得るユニット装置であっても良い。
【００１１】
一方、弾球遊技機１の背面には、図２に示すように、入賞玉の発生に基づいて所定個数の賞球を払い出すための各種の機構を装備した機構板４０が設けられると共に、前記操作ハンドル９に対応する裏面には、ステッピングモータ１９６及び打球槌（図示しない）を有する打球発射装置１９５が固着され、その打球発射装置１９５の側方には、機構板４０の後述する余剰玉通路６４を流下する賞球を前記下皿７に誘導する接続樋１５０（図５参照）が固着され、その接続樋１５０の側方に枠基体３に設けられる後述するランプ９０や前面開閉枠４に設けられるスピーカ３０２等の表示制御あるいは効果音制御を行う装飾制御回路基板２０１を収納する装飾制御回路基板ボックス２００が装着され、更に、外枠２に対する枠基体３の開放側裏面に外枠２の掛止片３５に対する枠基体３の施錠、及び枠基体３に対する前面開閉枠４の施錠を行う施錠装置２１０が設けられている。なお、装飾制御基板ボックス２００に収納される装飾制御基板２０１には、後述する機構板４０の前面側に敷設された配線を接続するコネクタ２０２と枠基体３側から敷設された装飾用集合配線１４２を接続するコネクタ２０２とが設けられると共に、スピーカ３０２の音量の大小を切り換える音量切換スイッチ２０３が設けられている。
【００１２】
以上で、弾球遊技機１の全体の概略構成を説明したが、以下、弾球遊技機１を構成する要素のうち、枠基体３に着脱自在に装着される遊技盤１６と機構板４０の詳細な構成について順次説明し、その後、枠基体３に固着又は開閉自在に装着される前面開閉枠４等について説明する。
【００１３】
（２）遊技盤
図１，図２，及び図５を参照して遊技盤１６について説明する。図５は、機構板４０を開放して枠基体３から遊技盤１６を取り外した状態の弾球遊技機１の斜視図である。まず、遊技盤１６の正面構造について図１を参照して説明する。遊技盤１６は、枠基体３の裏面側に一体的に形成される遊技盤収納リブ１３５に収納固定されるべく、ほぼ正方形状の合板により形成され、その表面には、円形うず巻き状に誘導レール（外レールと内レール２１とからなり、内レール２１だけ図１に表示）が取り付けられ、該誘導レールの内側が遊技領域２２とされて発射された打玉が落下するものである。遊技領域２２には、図示の場合、ドラム式可変表示装置１７や可変入賞球装置１８やドラム式可変表示装置１７の可変表示を許容する始動入賞口１９が設けられると共に、単に打玉を入賞とする入賞口（符号なし）、打玉の流下方向，速度を変化せしめる風車又は多数の障害釘が設けられ、また、遊技領域２２の最下方には、いずれの入賞領域にも入賞しない打玉が取り込まれるアウト口２０が設けられている。
【００１４】
一方、遊技盤１６の裏面には、図２及び図５に示すように、前記ドラム式可変表示装置１７の回転ドラムを収納するドラム収納ボックス２３が突出して設けられている。このドラム収納ボックス２３には、回転ドラムと該回転ドラムを回転駆動するステッピングモータと回転ドラムの絵柄を後方から照明する照明ランプとからなるドラムユニットが複数個収納固定され、また、ドラム収納ボックス２３の裏面には、内部で発生した熱を外部に放熱する放熱板２４が止着されている。この放熱板２４には、その下部一側にボックス掛止部材２５が取り付けられている。ボックス掛止部材２５は、遊技動作を制御する回路基板を収納する遊技制御基板ボックス３３が上辺を軸支して垂直方向から水平方向に回動自在に設けられるものであるが、水平方向の回動位置にあるときに遊技制御基板ボックス３３を水平状態に保持することができるようにしたものである。このように水平方向に保持した状態で遊技制御基板ボックス３３によって覆われている後述する第２入賞玉集合カバー体２７及び第３入賞玉集合カバー体２８の状況を観察することができる。
【００１５】
上記したドラム収納ボックス２３の下部を除く周囲には、ドラム式可変表示装置１７の上方に位置する入賞口に入賞した入賞玉を誘導する誘導通路がその前面に形成される第１入賞玉集合カバー体２６が取り付けられ、この第１入賞玉集合カバー体２６に連通するようにその下部に第２入賞玉集合カバー体２７、及び第３入賞玉集合カバー体２８が取り付けられている。
【００１６】
第１入賞玉集合カバー体２６には、その中央に前記ドラム収納ボックス２３が貫通する窓孔２９が形成されると共に、一側後面に中継基板３０が取り付けられている。中継基板３０は、前記ドラム式可変表示装置１７以外の遊技盤１６に設けられる電気部品（例えば、各種のスイッチやランプ、あるいはソレノイド等）からの配線と遊技制御基板ボックス３３内に収納される回路基板からの配線とを中継するものである。
【００１７】
また、第２入賞玉集合カバー体２７の後面側には、その上部左右に基板ボックス取付部材３１が取り付けられている。この基板ボックス取付部材３１は、遊技動作を制御する回路基板を収納する遊技制御基板ボックス３３の上端を回動自在に軸支するものである。上記した第２入賞玉集合カバー体２７の下方に取り付けられる第３入賞玉集合カバー体２８の前面側には、第２入賞玉集合カバー体２７の前面側を流下する入賞玉を下流側に導く入賞玉誘導路が両端部に形成されると共に、遊技盤１６のアウト口２０の下流側に刻設されるアウト玉通路３４の裏面開放部を覆うアウト玉通路被覆凹部が形成されている。アウト玉通路被覆凹部は、アウト口２０の裏面下部にパチンコ玉の直径よりやや深い深さとなるように遊技盤１６に刻設されたアウト玉通路３４の裏面を閉塞するものであり、このアウト玉通路被覆凹部によって被覆されたアウト玉通路３４を流下するアウト玉は、枠基体３の後述する支持板部１０８に形成されるアウト玉連通口１２５からアウト玉連絡通路１４７を通って機構板４０の後述するアウト玉排出通路７０に導かれるようになっている。また、第３入賞玉集合カバー体２８の下部中央には、基板ボックス係止部材３２が一体的に形成されている。この基板ボックス係止部材３２は、前記した基板ボックス取付部材３１に回動自在に支持される遊技制御基板ボックス３３の下部を固定するものである。なお、この第３入賞玉集合カバー体２８も第１，第２入賞玉集合カバー体２６，２７と同様に透過性合成樹脂で形成されており、外部から内部が視認できるようになっている。
【００１８】
以上、遊技盤１６の構成について詳細に説明してきたが、上記のように構成される遊技盤１６は、枠基体３の裏面側に形成される遊技盤収納リブ１３５に収納固定されるようになっている。遊技盤収納リブ１３５は、周知のように、ほぼ正方形状に構成される遊技盤１６を収納するように枠基体３の裏面に段差状に形成され、収納した遊技盤１６の裏面を押圧固定するための遊技盤固定レバー１４０が遊技盤収納リブ１３５の適宜箇所に取り付けられている。遊技盤１６を遊技盤固定レバー１４０によって収納固定した状態においては、その裏面から機構板４０が被覆されることとなる。
【００１９】
（３）機構板
次に、弾球遊技機１の背面に設けられる機構板４０の構成について図２を参照して説明する。図において、機構板４０は、主として賞球を貯留する玉タンク４２と該玉タンク４２に貯留された賞球を下流側に整列しながら誘導する玉整列レール４４とが設けられる上部構成部と、主として入賞に基づく賞球を払い出す賞球払出装置５８が設けられる中間構成部と、主として遊技盤１６に打ち込まれた入賞玉を含む打玉を処理する処理機構が設けられる下部構成部と、が背面から見てコ字型開口窓４１を構成するように一体的に形成されている。このため、機構板４０を閉じた状態において遊技盤１６の一側辺部が開放された状態となるため、遊技盤１６の裏面構造が前述したように、ドラム収納ボックス２３及び遊技制御基板ボックス３３を有する複雑なものであっても、機構板４０の開閉動作をスムーズに行うことができる。
【００２０】
そこで、以下、機構板４０の構成について、各構成部毎に説明する。まず、上部構成部には、多量の賞球を貯留する玉タンク４２と、該玉タンク４２から供給される賞球を複数列（本実施形態の場合には、２列）に整列して流下させる玉整列レール４４と、該玉整列レール４４によって誘導された賞球を後述する賞球払出装置５８に向けて方向転換するカーブ樋４６と、該カーブ樋４６の上方に設けられたターミナルボックス４９がそれぞれ所定の位置に設けられている。
【００２１】
玉タンク４２には、その底面下流側に玉整列レール４４と連通する落下口が開設され、その落下口の上部の傾斜底面には、揺動自在に軸支されて図示しないバネにより上方向に付勢される玉欠乏検知レバーが設けられ、該玉欠乏検知レバーの下方に、玉欠乏検出器が固定されている。この玉欠乏検出器は、玉タンク４２内に賞球が不足したときに図示しない管理コンピュータに玉切れ信号を導出するようになっている。なお、玉タンク４２の前方上部には、内部に貯蔵される玉や図示しない補給パイプから補給された玉が外に飛び出ないようにするための玉溢れ防止部材４３が着脱自在に取り付けられている。
【００２２】
上記した玉タンク４２の下流側に配置される玉整列レール４４は、上部構成部の一端から他端に向けて傾斜状に取り付けられ、周知のようにその内部中央に仕切壁（図示しない）が立設されている。この仕切壁は、玉タンク４２の落下口から流出した賞球を下流に向かうにしたがって確実に左右２列に整列させるために徐々に高く形成されている。また、玉整列レール４４の下流側上部には、玉ならし揺動部材４５が揺動自在に垂下され、玉整列レール４４上を上下２段となって流下する賞球を玉ならし揺動部材４５に埋設される重錘の作用によって１段とするようになっている。
【００２３】
更に、上記した玉整列レール４４の下流側には、逆「く」字状の通路が形成されるカーブ樋４６が接続されている。このカーブ樋４６は、玉整列レール４４によって前後方向（機構板４０の背面から見て）２列に流下される賞球を左右方向（同じく機構板４０の背面から見て）２列に流下するように方向転換するものである。そして、カーブ樋４６の屈曲部に玉抜き口が形成され、該玉抜き口を玉抜き弁４７で開閉自在に閉塞するように構成されている。玉抜き弁４７は、弾球遊技機１の前面の玉抜きピン挿入口３５３，１４５（図１，図６参照）から図示しない玉抜きピンを差し込む操作によりこれに連結される玉抜き操作杆（図示しない）を上下方向に揺動させて玉抜き口を閉塞したり開放したりするものである。したがって、機構板４０には、玉抜き口の下部には、玉抜き通路４８が形成されている。この玉抜き通路４８は、中間構成部及び下部構成部に連続して形成されている。
【００２４】
また、ターミナルボックス４９は、内部にターミナル基板を収納するものであり、そのターミナル基板には、外部からの電源線が接続される電源端子や、外部との信号線が接続される信号端子や、ヒューズ、ランプ等が設けられるものである。これについて詳細に説明すると、ターミナルボックス４９に収納されるターミナル基板は、その前面側に外部電源供給線が接続される電源コネクタ５５、電源スイッチ５４、外部（例えば、管理コンピュータ）と弾球遊技機１との間の信号線を接続する玉切れ情報出力端子５２と打止情報入力端子５３と玉貸情報出力端子５０と賞球情報出力端子５１、打止情報入力端子５３からの打止情報信号に基づいて作動するリレー（図示しない）、各制御回路基板に供給される電源線の途中に設けられるヒューズ（図示しない）が実装されたプリント配線基板によって構成されるものである。また、ターミナル基板からは、賞球払出制御基板７３及び遊技制御基板ボックス３３に収納される遊技制御回路基板に対して電源線や信号線（上記した玉貸情報信号や賞球情報信号がやり取りされる）が接続されると共に、玉タンク４２に設けられる玉欠乏検出器も接続されている。
【００２５】
上部構成部には、上記した構成以外に、前記枠基体３の遊技盤収納リブ１３５に植立される機構板固定用突起１４１を貫通させる貫通穴がその開放端部及びターミナルボックス４９の上部に対応する位置に形成され、その貫通穴に対応して機構板係止レバー７６が一端の支軸に支持されて回動自在に設けられている。機構板係止レバー７６には、機構板固定用突起１４１の先端部と係合する溝が形成されており、この溝と機構板固定用突起１４１との係合を解除するように回動させることにより、機構板４０の遊技盤収納リブ１３５への固定状態を解除することができる。なお、機構板係止レバー７６は、図２に示すように、上部構成部の開放端部及び下部構成部の開放端部に設けられているため、機構板４０の遊技盤収納リブ１３５への固定状態を堅固に安定化させることができるようになっている。
【００２６】
次に、中間構成部の構成について説明する。中間構成部の側方に玉抜き通路４８が形成されている。この玉抜き通路４８は、前記玉抜き弁４７によって玉抜きされた賞球を流下させるものである。また、中間構成部には、その上部に通路体５６が止着され、該通路体５６の下方に賞球払出装置５８が装着される。より詳細に説明すると、通路体５６は、前記カーブ樋４６によって流下方向を左右に変換された２列の賞球を流下させる玉通路を有し、その各玉通路の上流側に玉検出センサ５７が臨むようになっている。この玉検出センサ５７は、玉通路内の賞球の有無を検出するもので、いずれか一方の玉検出センサ５７が賞球を検出しなくなったときには、賞球払出装置５８のステッピングモータの作動を停止して賞球の払出を不能動化させるようになっている。なお、玉検出センサ５７は、賞球払出装置５８から２列の玉通路内に２７〜２８個目の賞球を検出する位置に係止爪によって着脱自在に取り付けられている。これは、１回の玉貸又は賞球分を確保するためで、玉貸又は賞球途中に玉切れしても、当該１回分を払い出すことができるようにするためである。
【００２７】
中間構成部の下方に取着される賞球払出装置５８は、詳細に図示しないが直方体状のケースの内部に収納されて構成されるが、そのケース内は、前記通路体５６の下方に着脱自在に取り付けられるものであり、また、内部に賞球と１個ずつ係合して回転する回転払出部材と、該回転払出部材を駆動するステッピングモータと、回転払出部材によって払い出された賞球を１個ずつ検出する払出検出センサーとが内蔵されている。また、上記した通路体５６及び賞球払出装置５８は、中間構成部の一側に開閉自在に軸支される開閉カバー５９によって被覆されて保護されている。
【００２８】
以上で、機構板４０の中間構成部についての説明を終了し、次に、機構板４０の下部構成部について説明する。下部構成部の後面側には、その一側上部に賞球払出通路６０が形成され、該賞球払出通路６０の下端に上皿連通口６１が形成されている。この上皿連通口６１は、弾球遊技機１の前面に設けられる上皿６に賞球を導くものである。上皿連通口６１の一側側方には、側壁６２を介して連絡通路６３が接続され、該連絡通路６３の末端に余剰玉通路６４が接続されている。しかして、入賞に基づく賞球が多数払い出されて上皿６が賞球で満杯となり、遂には上皿連通口６１に到達してさらに賞球が払い出し続けられたときには、賞球は連絡通路６３を介して余剰玉通路６４に導かれ、その後、図５に示す接続樋１５０の賞球受開口１５２を介して前記下皿７に排出される。なお、上皿連通口６１と連絡通路６３とを区画する側壁６２の高さが従来の側壁の高さよりも低く形成されているので、上皿６に貯留された賞球が上皿連通口６１の部分に到達すると、比較的早く連絡通路６３に流れるようになっている。これは、上皿６に賞球が満杯となっている状態で前面開閉枠４を開放したときに、後述する賞球開口３３６から誘導ボックス部材１１９に溢れ落ちる賞球数を少なくするためである。また、上皿６が満杯となった状態でさらに賞球が払い出し続けられたときには、下皿７も満杯になるが、余剰玉通路６４の一側側壁に設けられた満タン検知板（図示しない）部分にまで到達すると、満タン検知板が賞球に押圧されて上端の支軸を中心にして外側に向かって揺動し、これによって満タンスイッチがＯＮされて、賞球払出装置５８のステッピングモータの駆動を停止して賞球の払出動作を不能動化すると共に、必要に応じて打球発射装置１９５のステッピングモータ１９６の駆動も停止される。なお、上記した賞球払出通路６０、玉抜き通路４８、連絡通路６３、及び余剰玉通路６４の後面は、下部通路カバー体によって覆われている。
【００２９】
一方、下部構成部の前面側（遊技盤１６に当接する側）には、そのほぼ中程に入賞玉集合樋６５が傾斜状に設けられている。この入賞玉集合樋６５は、遊技盤１６の可変入賞球装置１８等に入賞した入賞玉であって前記第３入賞玉集合カバー体２８によって導かれた入賞玉を受け入れ、その受け入れた入賞玉を集めて入賞玉処理装置に誘導するものである。
【００３０】
ところで、上記した賞球払出通路６０、玉抜き通路４８、連絡通路６３、及び余剰玉通路６４の後面は、前述したように、下部通路カバー体によって覆われるが、本実施形態においては、配線接続の利便性を考慮して賞球払出制御基板７３を収納する基板収納ボックスが枠基体３の軸支側及び機構板４０の軸支側の前記上皿連通口６１の下方であって玉抜き通路４８と余剰玉通路６４とによって形成される空間の上面部分に設けられる関係上、下部構成部の開放側寄りの隅角部に入賞玉処理装置が収納設置される入賞玉処理装置設置部とされ、その入賞玉処理装置設置部内に入賞玉処理装置が収納固定された後、入賞玉処理装置カバー７１によって閉塞される。したがって、上述した入賞玉集合樋６５は、従来の機構板に形成されるものと逆方向の機構板４０の開放側に向かって下り傾斜するように構成されている。
【００３１】
入賞玉処理装置設置部に収納される入賞玉処理装置は、入賞玉検出器６６と、該入賞玉検出器６６の前後で入賞玉を１個ずつ受け止めその後下方に流下せしめる玉止め部材６７と、該玉止め部材６７を駆動する入賞玉排出ソレノイド６８と、がセット板に集約して構成され、そのセット板を入賞玉処理装置設置部内に着脱自在に取り付け得るようになっている。
【００３２】
上記した入賞玉処理装置の作用について簡単に説明すると、まず、入賞玉排出ソレノイド６８がＯＦＦである通常の状態においては、入賞玉が入賞玉検出器６６によって検出される状態で玉止め部材６７の下部が入賞玉検出器６６の下方に突出している。そのような状態で入賞玉が発生して入賞玉が入賞玉検出器６６によって検出されると、その検出信号が後述する基板収納ボックス内に収納される賞球払出制御基板７３に送られ、これにより前記賞球払出装置５８が駆動制御されて所定個数の賞球の払出動作が行われる。そして、所定個数の賞球の払出をするための駆動信号が賞球払出装置５８に賞球払出制御基板７３から送られると同時に、賞球払出制御基板７３から入賞玉排出ソレノイド６８にも駆動信号が送られて入賞玉排出ソレノイド６８を所定時間ＯＮする。入賞玉排出ソレノイド６８がＯＮすると、玉止め部材６７が次の入賞玉の入賞玉検出器６６への侵入を阻止しながら入賞玉検出器６６によって検出されていた入賞玉を下流側に開放する。そして、一定時間が経過して入賞玉排出ソレノイド６８がＯＦＦになると、玉止め部材６７が再度元の状態に戻って次の入賞玉を入賞玉検出器６６に受け入れてその入賞玉による賞球の払出動作が行われる。なお、賞球払出終了後に入賞玉排出ソレノイド６８に駆動信号を送るようにしても良いが、上記に説明したように、賞球払出装置５８への駆動信号が送られた直後に入賞玉排出ソレノイド６８に駆動信号を送るようにすることにより、賞球の払出動作終了以前に入賞玉の処理が行われるので、賞球払出の一連の動作を速く行うことができるという利点がある。
【００３３】
このように、本実施形態における入賞玉処理装置は、発生した入賞玉を一旦停留し、所定の賞球が払い出される毎に１個ずつ入賞玉を処理するようにしたので、停電時等においては、発生した入賞玉が証拠玉として残留するため、遊技者との間でトラブルが生じることがない。なお、バックアップ機能がある場合には、このような入賞玉処理装置を使用することなく、発生した入賞玉をすべて記憶して、記憶が終わった入賞玉を弾球遊技機１の外部に排出するようにしても良い。また、入賞玉集合樋６５の下方中央には、前述した枠基体３の裏面下部中央に形成されるアウト玉連絡通路１４７の末端に対応するアウト玉受部が形成され、該アウト玉受部の末端に前後に貫通する貫通誘導部が開設され、該貫通誘導部に連続してアウト玉を排出するアウト玉排出通路７０が下部構成部の後面側に形成されている。アウト玉排出通路７０の末端には、前記入賞玉処理装置で処理された入賞玉が流下する入賞玉排出通路６９と合流して弾球遊技機１の外部に排出されるようになっている。また、本実施形態の場合、入賞玉及びアウト玉を排出する入賞玉排出通路６９の出口と前記玉抜き通路４８の出口とが、余剰玉通路６４を挟んで左右に分離して形成されているので、計数装置を内蔵するアウト玉箱（図示しないが島台側に固定される）を入賞玉排出通路６９側だけに臨むように配置すれば、打ち込み玉だけを正確に計数することができる。
【００３４】
また、下部構成部には、入賞玉処理装置設置部の外側に延設された延設部の下部に打球発射装置用コネクタ７２が止着されているが、このコネクタ７２は、前記打球発射装置１９５に電源を供給するものである。また、上記した延設部の上部前面には、前記機構板係止レバー７６と全く同じ機構板係止レバー７６が回転自在に設けられており、上部構成部の開放端部に設けられる前記機構板係止レバー７６と共に機構板４０の開放端部で機構板４０の閉止状態を保持しているので、機構板４０の堅固な閉止状態を維持することができる。
【００３５】
次に、入賞玉処理装置を被覆する入賞玉処理装置カバー７１の側方に設けられる賞球払出制御基板７３について説明する。賞球払出制御基板７３には、賞球払出装置５８や入賞玉処理装置、上皿６に設けられる操作スイッチや表示器、あるいはカードユニット装置１１からの配線を接続するためのコネクタ端子や、例えば玉タンク４２に設けられる玉切れ検出センサの作動時に打球の発射動作を停止させるか否かを選択する打止モードスイッチ、故障の種類を数値で表示するエラー表示器、制御動作のプログラム暴走時等にリセットするリセットスイッチ等が設けられている。
【００３６】
しかして、賞球払出制御基板７３は、前記入賞玉検出器６６からの入賞玉信号を受けて賞球払出装置５８のステッピングモータに駆動開始信号を導出し、賞球払出装置５８内に設けられる払出検出センサからの信号を計数してその計数値が予め定めた賞球数となったときにステッピングモータに駆動停止信号を導出して賞球の払出動作を停止させる。また、ステッピングモータに駆動開始信号を導出すると共に、入賞玉処理装置の入賞玉排出ソレノイド６８に駆動信号を与える。また、玉タンク４２に設けられる玉切れ検出センサや余剰玉通路６４に設けられる満タンスイッチからの信号があったときには、その入賞に対する払出動作が終了した時点又は直ちにステッピングモータに停止信号を導出するようになっている。また、賞球数が２種類（又は２種類以上）ある場合には、賞球数の少ない方の入賞玉数を記憶しておき、その記憶値の分に相当する払出動作を優先的に実行するようにすれば良い。このようにすれば、仮に停電等で記憶値が消去されても、遊技者に相対的に多い払出賞球数で払い出すことができるからである。このことを考慮しなければ、いずれを記憶するように設計しても良い。また、同様にカードユニット装置１１からの遊技玉の玉貸要求信号があったときにも上記と同様の動作により所定個数（例えば、２５個／１００円）の遊技玉を賞球払出装置５８によって払い出す。
【００３７】
上記のような制御を行う賞球払出制御基板７３は、放熱穴を有する金属製の基板収納ボックスによって被覆されるが、上記したコネクタ、エラー表示器、リセットスイッチ、及び打止モードスイッチは、基板収納ボックスに被覆されていない。即ち、コネクタ、エラー表示器、リセットスイッチ、及び打止モードスイッチは、賞球払出制御基板７３の隅角部に設けられてその部分を切り欠いたＬ字状の基板収納ボックスの外側に位置するようになっている。
【００３８】
しかして、基板収納ボックスに被覆された賞球払出制御基板７３は、前記下部通路カバー体の表面であって下部構成部の軸支側に取り付けられる有底ボックス状の基板固定枠（図示しない）に収納されて基板カバー７４によって被覆されるが、この基板カバー７４は、基板固定枠に対して開閉自在に取り付けられるようになっている。なお、基板カバー７４は、基板収納ボックスと同じようにコネクタ、リセットスイッチ、打止モードスイッチが外部に露出するように接続切欠部７５がその隅角部に形成されている。また、基板カバー７４は、エラー表示器を被覆するようになっているが、少なくともコネクタだけが外部に露出するように、例えば、リセットスイッチ、打止モードスイッチ等のスイッチ類を被覆するように接続切欠部７５を形成しても良い。
【００３９】
以上、機構板４０について説明してきたが、その機構板４０は、遊技盤収納リブ１３５の一側側面に固定される軸受金具７８の上下に突設される軸ピン７９に機構板４０の一側に固定される軸支金具７７の掛止穴を係止することにより、開閉自在に軸支され、また、遊技盤収納リブ１３５の適宜位置に植立される機構板固定用突起１４１と機構板４０に設けられる機構板係止レバー７６とを係合させることにより、機構板４０を閉じた状態で保持することができるようになっている。
【００４０】
（４）枠基体
次に、上述した遊技盤１６、機構板４０が着脱自在に装着される枠基体３の詳細な構造について図４乃至図７を参照して説明する。図４は、枠基体３の前方に装着される前面開閉板４と下皿７と枠基体３との関係を示す分解斜視図であり、図５は、前述した通りであり、図６は、枠基体３の正面図であり、図７は、枠基体３の背面図である。
【００４１】
図において、枠基体３は、合成樹脂によって一体成型されるものであり、図６に示すように、上部の前記前面開閉枠４に対応する前面開閉枠対応板部８０と、下皿７、灰皿８、及び操作ハンドル９に対応する下皿対応板部８１とから構成されている。前面開閉枠対応部８０と下皿対応板部８１とは、図４に示すように僅かな段差をもって形成されており、また、前面開閉枠対応部８０のほぼ中央には、遊技盤１６の前記遊技領域２２が臨む開口８２が開設されている。開口８２は、馬蹄形状に形成されるが、その下部一側には、遊技盤１６の下部側方に貼付される各種団体の証明用の証紙が臨むための証紙用開口８３となっている。
【００４２】
また、前面開閉枠対応部８０の前面側であって開口８２の周辺は、ランプ基板８９を取り付けるためにその外側周辺よりもやや低いランプ基板取付用段部８６として形成されており、そのランプ基板取付用段部８６の上部及び左右両側にランプ基板８９が取り付けられている。より具体的には、ランプ基板取付用段部８６から２つの平行なリブ状のランプ基板取付台８７が突設され、そのランプ基板取付台８７に形成される取付爪８８でランプ基板８９を係止することにより、極めて簡単にランプ基板８９をランプ基盤取付用段部８６に取り付けることができる。なお、ランプ基板取付台８７にランプ基板８９を取り付けた状態では、ランプ基板８９に実装されるランプ９０がランプ基板取付用段部８６より前方に突出した状態、即ち、後述する前面開閉枠４の光漏れ防止用リブ３１０内に収納されるような位置関係となっている。
【００４３】
また、ランプ基板取付台８７に取り付けられたランプ基板８９には、それぞれ配線９２が接続されるが、その配線の一方の先端部には、コネクタ９４が設けられて、該コネクタ９４がランプ基板取付用段部８６の上部にビスで止着される中継基板９３に接続されている。中継基板９３には、ランプ基板８９に接続される配線以外に前面開閉枠４の開放を検出するドアスイッチ９６から伸びる配線９７の先端に取り付けられるコネクタ９５も接続されている。なお、ランプ基板８９と配線９２との接続は、コネクタではなくハンダ付けにより行われているが、コネクタ接続で行っても良い。
【００４４】
ところで、中継基板９３とランプ基板８９とを接続する配線は、ランプ基板取付用段部８６に形成される配線係止爪９１によって係止され、配線が開口８２側に垂れ下らないように係止されている。同じく、中継基板９３とドアスイッチ９６とを接続する配線９７も配線通し穴９９を貫通させて枠基体３の裏側に形成される配線係止爪９８に係止されるようになっている。なお、配線係止爪９１，９８は、枠基体３の成形時に一体成形されるものであるため、係止爪９１，９８が形成される部分に対応する裏側には、型の抜き開口が形成されている。このことは、後述する配線係止爪１０４の場合も同じである。
【００４５】
更に、ランプ基板取付用段部８６の上部左右には、後述するガラス取付ピン３１９の先端部を収納するためのガラス取付部用凹部８４が形成されている。なお、一方のガラス取付部用凹部８４は、前記中継基板９３の下部に位置するため、ランプ基板８９の配線９２がガラス取付部用凹部８４内に入る可能性があり、これを防止するため、ガラス取付部用凹部８４の外周に沿って円弧状の突片８４ａが突設されている。また、開口８２の中程左右に前面開閉枠４を閉じたときに複層ガラス板３９４のガラス枠３９３の外側と当接するガラス押え片８５が突設されている。これは、外部からの衝撃があったときでもガラス枠３９３が振動しないようにして騒音を発生しないようにするためにあるものである。
【００４６】
また、前面開閉枠対応板部８０の一側上下には、連結蝶番１０１を収納固定する蝶番収納凹部１００が形成されている。この蝶番収納凹部１００にビスで止着される連結蝶番１０１は、前面開閉枠４を開閉自在に軸支するものであるが、従来の軸支構造と異なる点は、前面開閉枠４を開放する際に、前面開閉枠４が枠基体３から開放するにつれて徐々に離れて開放される点であり、その詳細な構造の説明は、本出願人が先に提出した特願平７−１０００２１号の明細書に記載されている。しかして、連結蝶番１０１の前面には、連結片１０２が形成され、該連結片１０２に前面開閉枠４の裏面に止着される係止金具３４８の係止切欠部３４９を上方から掛け止めることにより、前面開閉枠４が連結蝶番１０１に着脱自在に装着されるようになっている。
【００４７】
一方、前面開閉枠対応板部８０の下辺を除く外周には、防犯溝１０３が刻設されている。この防犯溝１０３は、前面開閉枠４の後述する補強防犯金具３２３，３２４，３２５の防犯立片３２９が挿入されるものであり、前面開閉枠４を閉じたときに、防犯立片３２９を防犯溝１０３に侵入せしめることにより、前面開閉枠４と枠基体３との境目からピアノ線等の細い針金を差し込む不正を防止することができるものである。また、枠基体３の一側上下端には、枠基体３を外枠２に対して開閉自在に軸支するための軸受金具１０６がビスで止着されている。この軸受金具１０６は、図７に示すように、枠基体３の裏面にビスで止着されるものであるが、上面又は下面が前方に突出していてその突出部に軸受穴１０７が形成され、その軸受穴１０７に外枠２に固着される軸支金具３６の軸支ピン３６ａ（図８参照）が貫通して枠基体３が外枠２に開閉自在に軸支されるものである。更に、前面開閉枠対応板部８０の軸支側の防犯溝１０３のやや内側には、前記中継基板９３の裏面に接続される装飾用集合配線１４２を係止するための配線係止爪１０４が形成され、開放側の防犯溝１０３に隣接する上下部には、フック連通穴１０５が形成されている。配線係止爪１０４は、枠基体３の裏面側に形成されるものであり、正面側から見たときには、型抜き開口が視認できるものである。また、フック連通穴１０５は、後述する施錠装置２１０の係合フック部２４８が貫通するものであり、フック連通穴１０５から前方に突出した係合フック部２４８が前面開閉枠４の後述する係合片３３０と係脱し得るものである。
【００４８】
ところで、上記前面開閉枠対応板部８０の下方部分も前記ランプ基板取付用段部８６よりもさらに凹んだ状態の板状の支持板部１０８として形成されており、その支持板部１０８の一側上部に上皿流出用開口１０９が形成され、該上皿流出用開口１０９の下部前方に誘導ボックス部材１１９が取着されている。上皿流出用開口１０９の前端面の上部及び側部に沿って立壁１１０が立設され、該立壁１１０の上端から前方に防犯用水平リブ１１２が立設される。この立壁１１０及び防犯用水平リブ１１２によって形成される空間には、前面開閉枠４が閉じた状態で前面開閉枠４の賞球開口３３６の裏面に止着される賞球接続樋３３７の後端部が侵入し得るようになっており、賞球接続樋３３７の後端と上皿流出用開口１０９との間からピアノ線等の不正具を挿入させないようにしている。なお、本実施形態においては、上皿流出用開口１０９の側方が上部より幅寸法が大きな防犯用張り出し部１１１となっているが、その防犯用張り出し部１１１の上端にも前方に向かって防犯用水平リブ１１２が突設されている。また、上皿流出用開口１０９の後端上面には、後方に伸びる突出片部１１３（図４参照）が突設され、この突出片部１１３が機構板４０の前記上皿連通口６１内に侵入して、賞球開口３３６から侵入せしめられるピアノ線等の不正具が枠基体３と機構板４０との隙間から侵入しないように防止している。
【００４９】
一方、上皿流出用開口１０９の反対側の支持板部１０８の上部にも防犯用立壁１１４が立設され、該防犯用立壁１１４の上部にも防犯用水平リブ１１５が前方に向かって延設されている。この防犯用水平リブ１１５も前面開閉枠４と枠基体３の側部からの不正具の侵入を阻止するためのものである。また、防犯用立壁１１４の裏面には、遊技盤１６を載置したときに遊技盤１６に形成される位置決め穴と係合する位置決め突起１１６が突設されている。
【００５０】
また、支持板部１０８の前面には、誘導ボックス部材１１９及び発射レール１１７が取り付けられている。発射レール１１７は、前記上皿６から供給された打玉であって後述する玉送り部材３７２から１個ずつ供給される打玉をその下流端の発射位置に載置し、打球発射装置１９５の図示しない打球槌によって打ち出された打玉を遊技盤１６の誘導レールに導くものである。なお、支持板部１０８の段部を構成する底面であって発射レール１１７の下流側の対応する部位には、上記した打球槌が臨む打球槌用開口１１８が形成されている。また、発射レール１１７の上流端と遊技盤１６の誘導レールの下流端との間は、ファール玉口１２１となっており、遊技領域２２に到達することなく誘導レールを逆走した打玉が誘導ボックス部材１１９に導かれるようになっている。
【００５１】
また、誘導ボックス部材１１９は、前面開閉枠４を開放したときに前記上皿流出用開口１０９から溢れ落ちる賞球が受け入れられる溢れ玉入口１２０と、前記ファール玉口１２１と、上皿６から玉抜きされた玉を受け入れる玉抜き入口１２２と、を有し、それぞれの入口から流入してきた玉を支持板部８に形成される排出口１２３に取り込み、枠基体３の裏面下部に止着される接続樋１５０の誘導樋部１５１を介して下皿７に誘導するものである。なお、誘導ボックス部材１１９の上辺一側には、三角形状の発射玉誘導板１２４が突設され、遊技盤１６の誘導レール下流端を走行する打玉が複層ガラス板３９４に衝突しないように案内している。
【００５２】
また、支持板部１０８には、上記した誘導ボックス部材１１９の側方に前記連結蝶番１０１を収納する下部の蝶番収納凹部１００が形成されているが、その蝶番収納凹部１００の上方に配線通し開口１３４が開設されている。この配線通し開口１３４には、上皿６内に設けられる後述する表示部基板３６３に実装される電気部品等からの配線、及び前面開閉枠４に設けられる電気部品（スピーカ３０２）からの配線をまとめて枠基体３の裏側に導くものである。そして、この配線通し開口１３４は、前面開閉枠４の軸支側であって機構板４０の前記賞球払出制御基板７３及び前記装飾制御基板ボックス２００に収納される装飾制御基板２０１に近い位置に開設されるものである。なお、支持板部１０８の開放側に対応する位置には、枠基体３の前面側で最も前方に突出した錠用凸部１３２となっており、この錠用凸部１３２に後述する施錠装置２１０のシリンダー錠２１６が臨む錠穴１３３が穿設されている。
【００５３】
また、支持板部１０８の上端辺は、遊技盤１６を載置し得るように遊技盤１６とほぼ同じ幅を有するように形成されるが、そのほぼ中央には、図４に示すように、押え部材取付凹部１２６とアウト玉連通口１２５とが形成されている。押え部材取付凹部１２６には、遊技盤１６の裏面下部を遊技盤収納リブ１３５に収納して支持板部１０８の上辺に載置した際に押圧固定するための遊技盤固定レバー部材１４０ａ（図５参照）を取り付ける取付ボス１２７が突設形成されている。また、アウト玉連通口１２５は、図７に示すように、その下流にアウト玉連絡通路１４７が連通され、そのアウト玉連絡通路１４７の下流端に遊技盤１６に形成されるアウト口２０に取り込まれたアウト玉を機構板４０のアウト玉排出通路７０にスムーズに導くためのアウト玉誘導リブ１４９が形成されている。なお、支持板部１０８の裏面は、図７に示すように、ビスによって止着される閉塞板１４６によって閉塞されており、前記アウト玉誘導リブ１４９が形成される部分に対応する閉塞板１４６には、アウト玉出口１４８が形成されている。また、図示しないが、支持板部１０８と閉塞板１４６との間は、前記アウト玉連絡通路１４７が形成されるように中空状になっているが、その中空部には、前記発射レール１１７、誘導ボックス部材１１９、閉塞板１４６をビスで止着するための取付ボスが多数突設されている。
【００５４】
枠基体３の前面開閉枠対応板部８０の正面構造は、概ね上記した通りであるが、下皿対応板部８１においては、そのほぼ中央に余剰玉排出口１２８が開設され、軸支側に灰皿用凹部１２９が形成され、開放側に配線通し穴１３０が形成されている。余剰玉排出口１２８は、下皿７に余剰の賞球を払い出すための開口であり、灰皿用凹部１２９は、灰皿８の回動動作が行えるようにするためのものであり、配線通し穴１３０は、操作ハンドル９の内部に設けられる各種スイッチ類の配線を枠基体３の裏側に通すための開口である。なお、下皿対応板部８１には、後述する下皿セット板１６０を取り付けるための装飾板取付穴１３１も多数形成されている。
【００５５】
一方、枠基体３の裏面構造においては、図５及び図７に示すように、遊技盤収納リブ１３５が合成樹脂によって一体的に成型されている。しかして、遊技盤収納リブ１３５は、遊技盤１６を内側に収納支持し且つ固定するものであるため、遊技盤１６を支持する構造及び遊技盤１６を正確に固定するための部品を有する。また、遊技盤収納リブ１３５は、遊技盤１６の裏面に設けられて所定個数の景品玉を払い出すための各種の機構が設けられる機構板４０を正確に取り付けるための部品も有する。
【００５６】
具体的には、遊技盤１６を収納支持する構造として遊技盤１６の左右前面と当接する内側当接段部１３７と、複数（２個）の位置決め突起１１６，１３６とがある。２つの位置決め突起１１６，１３６のうち、一方の位置決め突起１１６は、前記したように防犯用立壁１１４の裏面側に突設されるが、他方の位置決め突起１３６は、枠基体３の上部中央に突設される。
【００５７】
上記のような遊技盤収納構造においては、遊技盤１６の下部は、前記支持板部１０８の上面に載置されると共に位置決め突起１１６によって位置決めされ、左右を遊技盤収納リブ１３５及び内側当接段部１３７とによって規制され、更に、上部を位置決め突起１３６と内側当接段部１３７と同じ高さ位置に形成されるリブとによって当接位置決めすることにより遊技盤１６を正確な位置に収納されるようになっている。なお、上部位置には、外枠当接リブ１３８が突設されているが、この外側当接リブ１３８は、外枠２と枠基体３の内側との間隔を狭くして、枠基体３の上動範囲を小さくするものであり、これによって枠基体３を外枠２に対して閉じたときにガタ付きのないようになさしめている。
【００５８】
また、遊技盤１６を固定するための部品として複数（４個）の遊技盤固定レバー１４０，１４０ａとがある。遊技盤固定レバー１４０は、遊技盤１６を遊技盤収納リブ１３５に隣接した位置に形成される遊技盤固定レバー取付穴１３９に正確に装着した状態で回動することにより遊技盤１６の裏面から押圧して遊技盤１６を遊技盤収納リブ１３５に堅固に収納支持固定するものである。なお、固定レバー１４０ａは、前記支持板部１０８の押え部材取付凹部１２６に突設される取付ボス１２７に固着されるものである。
【００５９】
また、機構板４０を取り付けるための部品として複数（３個）の機構板固定用突起１４１がある。しかして、１つの機構板固定用突起１４１は、前記支持板部１０８の裏面を被覆する閉塞板１４６の裏面であって開放側に取り付けられるものである。また、他の２つの機構板固定用突起１４１は、開放側の上部と軸支側の上辺とに設けられる。また、遊技盤収納リブ１３５の一側上下には、機構板４０を開閉自在に軸支するための軸受金具７８がビスで強固に止着されている。
【００６０】
枠基体３の裏面構造において、上記した以外の構成として軸支側の上部から側方にかけて形成される前記配線係止爪１０４に前記中継基板９３の裏面にハンダ接続（コネクタ接続でも良い）される装飾用集合配線１４２が係止されると共に、開放側の裏面に施錠装置２１０が固着され、下皿対応板部８１の裏面に接続樋１５０、打球発射装置１９５、装飾制御回路基板ボックス２００が固着又は装着され、軸支側上下に軸受金具１０６が固着されている。中継基板９３の裏面に接続される装飾用集合配線１４２は、接続開口１４３から裏面に引き出されて配線係止爪１０４に係止されるが、途中の玉抜きピン挿入口１４５及び遊技盤固定レバー取付穴１３９の部分には、装飾用集合配線１４２が玉抜き操作レバー（図示しない）や遊技盤固定レバー１４０に絡まないように配線押え片１４４が突設されている。なお、玉抜きピン挿入口１４５の上下にビス止め穴が形成されているが、このビス止め穴に玉抜き操作レバーが止着されるようになっている。また、施錠装置２１０、接続樋１５０、打球発射装置１９５、装飾制御回路基板ボックス２００については、後に詳細に説明する。
【００６１】
以上、枠基体３の詳細な構造について説明してきたが、次に枠基体３に装着又は固着される部品のうち、下皿対応板部８１の前後面に取り付けられる下皿セット板１６０、打球発射装置１９５、接続樋１５０、装飾制御回路基板ボックス２００に収納される装飾制御回路基板２０１について説明し、次いで、施錠装置２１０、前面開閉枠４について順次説明する。
【００６２】
（５）下皿セット板、打球発射装置、接続樋、装飾制御回路基板について
下皿セット板
枠基体３の下皿対応板部８１の前面側には、図４に示すように、そのほぼ全域を被覆する下皿セット板１６０が取り付けられる。下皿セット板１６０は、そのほぼ中央に賞球出口１６１が形成され、その賞球出口１６１の前方に下皿７を構成する下皿主体１６２が組み付けられている。この下皿主体１６２は、その軸支側に灰皿８を回動自在に取り付ける灰皿取付部１６４が形成され、その開放側に操作ハンドル９を取り付けるハンドル取付穴１６５が一体的に形成されると共に、下皿７の正面に玉抜きレバー１６３が内蔵されている。玉抜きレバー１６３は、下皿７の底面を開放して下皿７に貯留される玉を玉抜きするものである。そして、灰皿８及び操作ハンドル９が取り付けられた下皿セット板１６０は、その裏面に突設される取付ボス１６６を前記装飾板取付穴１３１に嵌合した後、枠基体３の裏面からビスで止着することにより、下皿対応板部８１の前面に固着されるものである。
【００６３】
上記した下皿セット板１６０の灰皿取付部１６４に装着される灰皿８は、図８に示すように、灰皿８を構成する灰皿主体１６７と該灰皿主体１６７の下部を覆う灰皿カバー１６８とを上下から重ね合わせることにより構成されている。即ち、灰皿主体１６７の裏面から下方に伸びる取付ボス１６９を灰皿カバー１６８に形成される取付穴１７０に対応させて図示しないビスを螺着することにより、灰皿８を構成することができる。ただし、灰皿主体１６７と灰皿カバー１６８とを重ね合わせる際に、それぞれから上下に伸びる軸受リブ１７２，１７１によって回転軸１７３を挟持し、その挟持した回転軸１７３の灰皿８から外側に突出した部分を下皿主体１６２の内部に挿入して下皿主体１６２の内部空間に設けられる軸取付部材１７４に差し込んでＥリング１７５で固定する。これによって灰皿８が回転軸１７３を中心として灰皿取付部１６４内で回転自在に設けられ、灰皿８の内部に溜った吸い殻を回転させることにより、簡単に取り除くことができる。また、従来の両持ち支持に比べて、灰皿８の回転軸１７３を片側のみで支持する構造なので、取り付け易く且つ灰皿８の配置をできるかぎり外側にすることができるので、下皿の幅を大きくできて灰皿を利用しやすい位置に取り付けることができる。
【００６４】
また、前記ハンドル取付穴１６５に装着される操作ハンドル９は、図９に示すように、ハンドル取付穴１６５に固着される後握持部材１８０と、該後握持部材１８０の前面側に突設される固定ボス１９８に前方からビスで止着され且つその外周にタッチリング１８２が周設固定されるタッチリング周設部材１８１と、同じく後握持部材１８０の前方に突設される連結ボス１８６に前方からビス１８７で止着される挟持部材１８４と、タッチリング周設部材１８１と挟持部材１８４とに挟持されて回転自在に設けられる回動操作部材１８３と、挟持部材１８４の前方に下から螺着される取付ネジ１８８によって固着される前握持部材１８５と、から構成されている。また、後握持部材１８０の前方には、メインスイッチ１８９を取り付けるためのスイッチ取付ボス１９９も突設され、更に、その後部筒部の内部にボリューム１９１（可変抵抗器）が取り付けられている。ボリューム１９１の前方には、ボリューム軸１９２が突設され、そのボリューム軸１９２に回動操作部材１８３の中心に後方に向かって突設される回転軸１９０が係合している。その係合状態は、図９（Ｂ）に示すように、ボリューム軸１９２の中心に形成された係合溝に回転軸１９０の両端面を切り欠いた先端を係合させた状態であるので、片面だけを切り欠いたいわゆるＤカット係合に比べ、回転モーメントが作用しているときに偏った負荷がかからないだけ、耐久性が向上するものである。なお、ボリューム１９１には、ハンドル配線１９３が接続され、そのハンドル配線１９３が前記ハンドル取付穴１６５及び配線通し穴１３０を通って枠基体３の裏面に導かれ、ハンドル配線１９３の一端に止着されるコネクタ１９４（図４参照）が後述する打球発射装置１９５の発射装置制御回路基板１９７に接続されるようになっている。上記したハンドル配線１９３は、ボリューム１９１に接続される配線だけでなく、前記メインスイッチ１８９、タッチリング１８２に接続される配線を含んで構成されるものである。
【００６５】
上記のように構成される操作ハンドル９においては、回動操作部材１８３を回動操作することにより、メインスイッチ１８９がＯＮすると共に、回転軸１９０及びボリューム軸１９２を介してボリューム１９１の抵抗値が変化する。また、遊技者が回動操作部材１８３を操作しているときには、遊技者の指がタッチリング１８２に接触するので、その接触信号も導出される。なお、回動操作部材１８３の回動範囲は、回動操作部材１８３の内周板部に形成される図示しない円弧状長孔と該円弧状長孔を貫通する連結ボス１８６との係合によって決められ、また、メインスイッチ１８９のＯＮ状態においては、図示しない単発ボタン（回動操作部材１８３とタッチリング周設部材１８１との間に揺動自在に設けられる）を揺動操作させることにより、メインスイッチ１８９をＯＮ・ＯＦＦさせて単発打ちを行うことができるようになっている。
【００６６】
打球発射装置
上記のように操作ハンドル９が操作されたときには、打球発射装置１９５が駆動されるが、その打球発射装置１９５は、図２に示すように、ステッピングモータ１９６と、該ステッピングモータ１９６のモータ軸に固着される打球槌（図示しない）と、ステッピングモータ１９６を駆動制御する発射装置制御回路基板１９７（図示ではボックス内に収納されている）と、がセット板に集約されて枠基体３の下皿対応板部８１の裏面一側にビスで止着されている。なお、打球槌には、その往復動作に対応して後述する玉送り部材３７２の揺動部材３７４を揺動させるための作動部材を回動させる係合針金部材が固着されていると共に、発射装置制御回路基板１９７には、前記ハンドル配線１９３と賞球払出制御基板７３からの配線とターミナルボックス４９からの電源線とがそれぞれ接続されている。しかして、発射装置制御回路基板１９７による制御は、遊技者が操作ハンドル９を操作してタッチリング１８２が触手されていること、メインスイッチ１８９がＯＮされていることを検出したときには、ボリュームの抵抗値に応じた強さで所定時間だけ一方向にステッピングモータ１９６が回転された後、所定時間だけ逆方向の回転信号が送られて元の位置（発射位置）に戻るサイクルが実行され、このようなサイクルが１分間当たり所定回数（例えば、１００回前後）行われるように制御されている。なお、賞球払出制御基板７３からの信号（満タンスイッチ又は玉検出センサ５７からの信号）が導出されたときには、発射位置に戻った時点で停止するように制御される。
【００６７】
接続樋
枠基体３の下皿対応板部８１の裏面であって上記した打球発射装置１９５の側方には、接続樋１５０がビスで止着されている。接続樋１５０は、図５に示すように、機構板４０の余剰玉通路６４の下流端に臨む賞球受開口１５２と前記誘導ボックス部材１１９に誘導された玉が排出される排出口１２３の裏側を覆う誘導樋部１５１とが前後方向に重複状に設けられて枠基体３下部中央の余剰玉排出口１２８の裏面に取り付けられるものである。そして、余剰玉通路６４に流出した余剰の賞球、及び誘導ボックス部材１１９に受け入れられた溢れ玉，ファール玉，玉抜き玉を下皿７に誘導するものである。
【００６８】
装飾制御回路基板
枠基体３の下皿対応板部８１の裏面であって上記した接続樋１５０を挟んで打球発射装置１９５と反対側の位置には、装飾制御回路基板２０１を収納する装飾制御回路基板ボックス２００がビスで止着されている。装飾制御回路基板２０１は、枠基体３の前面側に設けられる前記ランプ基板８９からの装飾用集合配線１４２（ただし、ドアスイッチ９６の配線は、賞球払出制御基板７３に接続される）、及び前面開閉枠４の裏面側に設けられるスピーカ３０２からのスピーカ配線３４６のコネクタ２０２が接続されて、遊技制御基板ボックス３３に収納される回路基板からの信号を受けて、装飾制御回路基板２０１内に設けられるプログラムにしたがってランプ９０やスピーカ３０２を駆動制御するものであると共に、賞球払出制御基板７３とも接続されて該基板７３からの玉切れ信号、賞球信号、開閉枠開放信号を受けてランプ９０やスピーカ３０２を駆動制御するものである。なお、ドアスイッチ９６は、開放報知するための検出器でもあり、開放報知することで防犯効果を奏するものである。
【００６９】
（６）施錠装置
次に、枠基体３の開放側裏面に止着される施錠装置２１０について、図１０を参照して説明する。図１０は、施錠装置２１０の分解斜視図である。なお、この施錠装置２１０は、前面開閉枠４の施錠ばかりでなく、枠基体３の外枠２に対する施錠をも行うことができる、いわゆるＷ錠となっている。
【００７０】
まず、施錠装置２１０の構造について図１０を中心にして説明する。施錠装置２１０は、断面Ｌ字型に形成される取付基板２１１に集約して形成される。即ち、取付基板２１１の一方辺は、枠基体３の裏面に突設される取付ボスに止着される取付面２１２であり、該取付面２１２に直角状となっている他方辺は、第１可動部材２２４が摺接する摺接面２１３となっている。しかして、取付面２１２上端から下端にかけて取付ボスに止着するための取付穴２５９が適宜間隔をおいて穿設されると共に、取付面２１２の下方寄りには、錠挿入口２１４が開設されている。この錠挿入口２１４には、シリンダー錠２１６が取り付けられるようになっているが、この取付は、錠挿入口２１４の上下に形成される錠取付穴２１５にシリンダー錠２１６の取付穴２１７を合致させてビス２１５ａで止着することにより行われる。また、シリンダー錠２１６後端には、第１作動突起２２２と第２作動突起２２３とが二股状に設けられる作動部材２１９が固着されている。第１作動突起２２２は、後述する第１可動部材２２４の係合凹部２３２と係合して第１可動部材２２４を上昇せしめ、第２作動突起２２３は、後述する第２可動部材２３８の係合部２５５と係合して第２可動部材２３８を下降せしめる。なお、作動部材２１９のシリンダー錠２１６への固着は、作動部材２１９に穿設された支点穴２２１をシリンダー錠２１６の後端中心軸の作動部材取付穴２１８に対応させてビス２２０で止着することにより行われる。更に、取付面２１２には、その上端部と中央よりやや下方に長方形状のフック貫通開口２５７が開設されている。このフック貫通開口２５７には、第２可動部材２３８の上下に前方に向かって突設される係合フック部２４８が貫通するものである。
【００７１】
一方、摺接面２１３の中央よりやや上部には、操作開口２４６が開設されている。この操作開口２４６には、第２可動部材２３８の中程の取付穴２４７にリベットで固着されて側縁から後方に向かって突設される操作レバー２４２が引き出されるものであり、引き出された操作レバー２４２の基部内側面の当接摺動面２４４と摺接面２１３の一部を延設した外側の当接摺動面２４５とが摺動するようになっている。更に、摺接面２１３の上下には、楕円形状の規制長穴２３５が開設されている。この規制長穴２３５は、第１可動部材２２４の上下の係止部材２２５を連結するリベット（図示しない）が貫通して第１可動部材２２４の上下方向のスライド量を規制するようになっている。
【００７２】
上記した取付基板２１１の摺接面２１３の内側面には、第１可動部材２２４が当接しながら上下動可能に設けられるが、この第１可動部材２２４は、その上下にフック部２２６を有する係止部材２２５が設けられる。この係止部材２２５は、杆状の第１可動部材２２４の本体と締着穴２２９を介してリベットで連結されるようになっているが、そのリベットによる連結は、第１可動部材２２４の本体と係止部材２２５との締着穴２２９を規制長穴２３５に合致させた状態で取付基板２１１の摺接面２１３の外側面方向からリベットを差し込んでかしめることにより行い、リベットの頭部が規制長穴２３５の外側に位置するようにして第１可動部材２２４が取付基板２１１に対して上下動可能なように取り付けられている。また、係止部材２２５の先端は、係止部材２２５に向けて傾斜する誘導傾斜部２２７となっているが、これは、枠基体３を押して閉じるときに外枠２の内側上下に固定される掛止片３５と当接案内しながら最終的に係止部材２２５のフック部２２６と掛止片３５とを係合させるためのものである。なお、下方の誘導傾斜部２２７には、側方に突出する操作突片部２２８が突設されており、手の操作で第１可動部材２２４を上昇せしめるときに使用するものである。
【００７３】
また、第１可動部材２２４を取付基板２１１の摺接面２１３の内側面に取り付けたときには、上部の係止部材２２５に形成されたスプリング取付部２３０と第２可動部材２３８に設けられたスプリング取付部２３７との間に上部のスプリング２３１が差し渡され、下部の係止部材２２５に形成されたスプリング取付部２３０と取付基板２１１の取付面２１２の最下端に形成されたスプリング取付部２３６との間に下部のスプリング２３１が差し渡され、それによって常に第１可動部材２２４を下方に付勢している。更に、第１可動部材２２４を取付基板２１１に取り付けた状態では、下方の係止部材２２５のやや上方に形成される係合凹部２３２の上端縁の下方に前記第１作動突起２２２が位置していると共に、Ｌ字状に形成される係止部材２２５の水平部の基部が摺接面２１３の上下端に形成される案内切欠２３３に係合し、また、係止部材２２５の垂直部が取付面２１２の上下に突設される案内突起２３４と摺接面２１３との間に挟持されるように取り付けられている。
【００７４】
また、取付基板２１１の取付面２１２の内側面には、第２可動部材２３８が当接しながら上下動可能に設けられるが、この第２可動部材２３８は、第２可動部材２３８の上部及び下部に穿設された規制長穴２３９の外側からリベット２４０を差し込んで該リベット２４０の先端を取付面２１２に形成された取付穴２４１に嵌着することにより、取付基板２１１に対して規制長穴２３９の範囲内で上下方向に移動可能に取り付けられるものである。また、第２可動部材２３８には、前記フック貫通開口２５７に対応する位置に上下両面に傾斜面部２４９ａ，２４９ｂを有する係合フック部２４８が前方に向かって突設されている。この係合フック部２４８は、前面開閉枠４に設けられる後述する係合片３３０との係脱を行うものである。更に、前述したように第２可動部材２３８の中程には、操作レバー２４２が後方に向けて突設され、また、下端に摺接面２１３と当接する方向に取り付けられる係合片部２６０が連結されている。係合片部２６０の下端には、前記第２作動突起２２３と係合する係合部２５５が形成されている。
【００７５】
このように構成された第２可動部材２３８をリベット２４０で取付基板２１１に取り付けた状態では、第２可動部材２３８に形成されたスプリング取付部２５０と取付面２１２に形成されたスプリング取付部２５２との間にスプリング２５１が差し渡されて常に第２可動部材２３８を上方に付勢していると共に、係合片部２６０の最下端に設けられる係合部２５５の上部に前記第２作動突起２２３が位置した状態となっている。なお、第２可動部材２３８には、前記スプリング取付部２５２に対応する位置に逃げ穴２５３が、前記取付穴２５９に取り付けられるビスに対応する位置に逃げ穴２５４が、第１可動部材２２４の本体と下部の係止部材２２５とを連結する締着穴２２９にかしめられるリベットに対応する位置に逃げ穴２５６が、それぞれ形成され、また、取付基板２１１の摺接面２１３の下部には、回動し得る第１作動突起２２２の回動範囲に対応する位置に逃げ開口２５８が開設されている。
【００７６】
上記のように構成される施錠装置２１０の作用について簡単に説明する。まず、外枠２に対する枠基体３の解錠及び施錠について説明すると、遊技場の店員がシリンダー錠２１６に図示しない所定の鍵を差し込んで時計回転方向に回すと、作動部材２１９も時計回転方向に回動する。すると、第１作動突起２２２と係合凹部２３２とが係合してスプリング２３１の付勢力に抗して第１可動部材２２４を上昇させるので、係止部材２２５も上昇する。このため、係止部材２２５のフック部２２６と外枠２の掛止片３５とが係合位置関係となっていないので、その状態でシリンダー錠２１６に差し込んだままの鍵を引っ張ることにより枠基体３全体を回動させて開放することができる。
【００７７】
一方、開放した枠基体３を閉じるときには、そのまま枠基体３を押し込むことにより係止部材２２５の誘導傾斜部２２７と掛止片３５との当接により第１可動部材２２４がスプリング２３１の付勢力に抗して上昇し、遂には、係止部材２２５のフック部２２６が掛止片３５と係合する位置でスプリング２３１の付勢力により第１可動部材２２４が下降して係止部材２２５のフック部２２６と掛止片３５とが完全に施錠された状態となる。
【００７８】
次に、枠基体３に対する前面開閉枠４の解錠及び施錠について説明すると、遊技場の店員がシリンダー錠２１６に図示しない所定の鍵を差し込んで反時計回転方向に回すと、作動部材２１９も反時計回転方向に回動する。すると、第２作動突起２２３と係合片部２６０の係合部２５５とが係合してスプリング２５１の付勢力に抗して第２可動部材２３８を下降させるので、係合フック部２４８も下降する。このため、係合フック部２４８と係合片３３０が解除されると同時に下部の傾斜面部２４９ｂと切欠部３３０ａの下端縁とが当接して前面開閉枠４を手前側に押し出すので、自然に前面開閉枠４が前方に飛び出す。これにより前面開閉枠４を開放することができる（図１５（Ｂ）参照）。
【００７９】
一方、開放した前面開閉枠４を閉じるときには、そのまま前面開閉枠４を押し込むことにより係合片３３０が枠基体３に形成されたフック連通穴１０５内に入って係合片３３０の下端と係合フック部２４８の上部の傾斜面部２４９ａとが当接する。その状態でさらに押し込むことにより係合片３３０の下端が係合フック部２４８の上部の傾斜面部２４９ａと当接しながら第２可動部材２３８をスプリング２５１の付勢力に抗して下降せしめ、遂には、係合フック部２４８が係合片３３０と係合する位置でスプリング２５１の付勢力により第２可動部材２３８が上昇して係合片３３０と係合フック部２４８とが完全に施錠された状態となる。なお、前面開閉枠４を解錠する場合には、枠基体３を開放した状態で操作レバー２４２を押し下げることによっても行うことができる（図１５（Ａ）参照）。
【００８０】
（７）前面開閉枠
次に、枠基体３の前面側に開閉自在に設けられる前面開閉枠４について、図１，図３，図４，図１１乃至図２０を参照して説明する。図１及び図４は、前述した通りであり、図３は、前面開閉枠４を備えた枠基体３の前方から見た斜視図であり、図１１は、前面開閉枠４の背面から見た分解斜視図であり、図１２は、前面開閉枠４の背面図であり、図１３は、外枠２に対して枠基体３及び前面開閉枠４を開放した状態の弾球遊技機１の斜視図であり、図１４は、枠基体３に対して前面開閉枠４を開放したときの配線の状態を示す部分斜視図であり、図１５は、枠基体３に対する前面開閉枠４の施錠を説明するための断面図であり、図１６は、枠基体３に対して前面開閉枠４を閉じたときのドアスイッチ９６の作用を説明するための断面図であり、図１７は、前面開閉枠４の枠基体３に対する軸支構造を説明するための平面断面図であり、図１８は、前面開閉枠４に対して取り付けられる複層ガラス板の取付構造を説明するための断面図であり、図１９は、前面開閉枠４の裏面に敷設される配線の処理構造を説明するための部分背面図であり、図２０は、前面開閉枠４を開放動作と賞球払出装置５８の動作との関係を説明するためのフロー図である。
【００８１】
まず、主として図１１及び図１２を参照して前面開閉枠４の構造について説明する。前面開閉枠４は、少なくとも前記遊技盤１６の遊技領域２２を透視し得る円形透視窓５に取り付けられる透明板としての複層ガラス板３９４を有する透明板保持部５００と、発射すべき打玉を貯留して発射位置に誘導する上皿６を有する上皿部５０１と、が一体的に形成された縦長な長方形状の合成樹脂で構成されている。また、前面開閉枠４の周縁には、後方に向かって補強周枠リブ３００が立設され、前面開閉枠４の強度の向上を図っている。
【００８２】
まず、透明板保持部５００の構成について説明すると、その上部左右にスピーカ３０２を収納するスピーカ収納凹部３０１が形成されている。このスピーカ収納凹部３０１に収納されるスピーカ３０２は、スピーカ取付カバー３０３に取り付けられ、そのスピーカ取付カバー３０３の外周の複数個所から外側に突設される取付片３０４の取付穴をスピーカ収納凹部３０１及びその近傍に突設されるスピーカ取付ボス３０６に対応させてビス３０８を螺着することにより、取付固定されるものである。なお、スピーカ収納凹部３０１の前面中央は、開口状に形成されており、その開口を閉塞するように網目状ネット３０７が取り付けられてスピーカ３０２から発生される音声を通すようになっている。
【００８３】
また、透明板保持部５００の円形透視窓５の外周に沿って前記ランプ基板８９に対応する位置に開口３０９が開設され、その開口３０９の周囲を覆うように光漏れ防止用リブ３１０が裏面側に突設されている。この光漏れ防止用リブ３０９は、前面開閉枠４を閉じたときに、前記ランプ基板８９が完全に収納されるように周設されるものであり、ランプ基板８９に設けられるランプ９０から発せられる光をすべて前方に向かってのみ放出するものである。もちろん、この光漏れ防止リブ３１０が前面開閉枠４の強度を高めているという効果もある。また、開口３０９は、ランプ用レンズ３１１によって閉塞されるようになっているが、その取り付けは、ランプ用レンズ３１１に外周の適宜箇所に突設される係止爪３１２を開口３０９の開口縁に係止することにより簡単に行うことができるようになっている。また、遊技盤１６の前面下部に貼付される前述した証紙の貼付箇所に対応する位置にも証紙透視開口３１３が開設され、その開口３１３の周囲を覆うようにリブ３１４が裏面側に突設される一方、開口３１３を閉塞するように透視レンズ３１５が係止爪３１６を介して取り付けられている。
【００８４】
なお、ランプ用レンズ３１１は、光を透視し得る着色した合成樹脂で形成されると共にその内周にダイヤカット加工等を施して光を散乱させるようになっているが、透視レンズ３１５は、単に光が透視して証紙が視認できるようになっているものである。また、上記で説明した光漏れ防止用リブ３１０及びリブ３１４は、前面開閉枠４の強度を向上させるものであるが、これらのリブのうち最も大きく強度の向上に寄与するのは、前記補強周枠リブ３００と円形透視窓５の開口縁に沿って後方に向かって僅かに突設される透視窓リブ５ａである。
【００８５】
また、円形透視窓５の外周の外側であってその上下左右の４か所には、複層ガラス板３９４を取り付けるためのガラス取付ピン台３１８が取り付けられている。このガラス取付ピン台３１８は、図１１，図１３，図１８に示すように、その中心にガラス取付ピン３１９を有すると共にその左右両端を前面開閉枠４の裏面に一体的に突設形成されるピン台取付部３１７にビス３２０で止着されている。しかして、そのように取り付けられるガラス取付ピン台３１８に対しては、図１３，図１８に示すように、２枚のガラス板３９４を前後に接着したガラス枠３９３の取付片３９５に穿設された取付穴３９６をガラス取付ピン３１９に貫通させ、取付片３９５の基部に回動自在に軸支される止め金具３９７を回動して止め金具３９７の凹部をガラス取付ピン３１９の先端部よりに刻設される係止溝３２１に係止することにより、複層ガラス板３９４が円形透視窓５を閉塞するように着脱自在に取り付けられるものである。なお、止め金具３９７は、取付片３９５の基部に形成される止め穴３９８にビス３９９で回動自在に止着されるものである。
【００８６】
更に、前面開閉枠４の裏面には、下辺を除く上辺及び左右辺の前記補強周枠リブ３００の内側には、補強防犯金具３２２，３２３，３２４，３２５が前面開閉枠４の裏面に突設される取付ボス３２７に補強防犯金具３２２，３２３，３２４，３２５の水平面に穿設される取付穴３２６を対応させてビス３２８で止着されている。より具体的には、図１１，図１２に示すように、開放側に取着される補強防犯金具３２２，３２３のうち、下部の補強防犯金具３２２は、断面コ字型であって、前記錠用凸部１３２に対応して切り欠けられている上皿部５０１から透明板保持部５００の下部位置に差し渡されて止着されており、また、開放側上部の補強防犯金具３２３は、断面Ｌ字状であって、その水平面が前記取付ボス３２７に取り付けられる一方、その垂直面が前記補強周枠リブ３００の外側に突出する防犯立片３２９として形成されると共にその防犯立片３２９の上下２か所から水平方向に係合片３３０が突設されている。この係合片３３０は、前記した施錠装置２１０の係合フック部２４８と係合するものである。なお、補強防犯金具３２３の係合片３３０に対応する水平面のやや下部には、図１５に示すように切欠部３３０ａが形成されている。
【００８７】
また、上辺に止着される補強防犯金具３２４も、断面Ｌ字状であって、その水平面が前記取付ボス３２７に取り付けられる一方、その垂直面は、前記補強周枠リブ３００の外側に突出する防犯立片３２９として形成される。同様に軸支側に取着される補強防犯金具３２５も、断面Ｌ字状であって、その水平面が前記取付ボス３２７に取り付けられる一方、その垂直面は、前記補強周枠リブ３００の外側に突出する防犯立片３２９として形成される。ただし、補強防犯金具３２４，３２５の水平面には、配線押え片３３１が適宜間隔（取付穴３２６と同間隔）で突設されており、この配線押え片３３１が前面開閉枠４の裏面に適宜間隔で突設される配線押え突起３３２と協働して前面開閉枠４に設けられる電気部品（本実施形態の場合には、スピーカ３０２）から伸びるスピーカ配線３４６を整列させるようになっている。即ち、図１９に示すように、スピーカ３０２から伸びる配線３４６を予め取付ボス３２７と配線押え突起３３２との間に嵌入して敷設し、その状態で補強防犯金具３２４，３２５をビス３２８で取付ボス３２７に止着することにより、スピーカ配線３４６が補強防犯金具３２４，３２５の下部の空間の外側に飛び出すことなく整然と敷設されて導かれる。なお、上記のように敷設されたスピーカ配線３４６は、後述する配線押え部材３４１にまとめられた後、枠基体３の裏側に導かれるようになっている。
【００８８】
次に、上皿部５０１について説明する。上皿部５０１の前面側には、前述したように上皿６が取り付けられるが、この上皿６及びこれに関連する構成について図１，図３，図１１乃至図１３を参照して説明する。上皿６は、上皿部５０１の表面に複数の合成樹脂製部材を組合せた上皿本体３６０を固着することにより構成されている。上皿部５０１には、その開放側の上部に玉抜きレバー用開口３７７が開設され、その玉抜きレバー用開口３７７に玉抜きレバー３７９の操作部３８１が臨むようになっている。この玉抜きレバー３７９は、スプリング３８０と共に玉抜きレバー収納部材３７８に収納されて上皿部５０１の裏面に取り付けられるものであるが、その取付構造は、玉抜きレバー用開口３７７の左右に突設される取付ボス３８３に玉抜き収納部材３７８の左右に突設される取付片３８２を対応させてビス３８４で止着されるものである。また、玉抜きレバー３７９の裏面には、連結部材３８５がビス３８５ａで止着されている。この連結部材３８５は、玉抜き収納部材３７８の外側に位置するもので、その先端が直角に曲折された連結片３８６となっている。この連結片３８６は、玉抜き弁用開口３８７を貫通する玉抜き弁（図示しない）の挟持片（図示しない）と係合するものである。図示しない玉抜き弁は、上皿本体３６０の後述する整列部３６２の流下端底面を開閉自在に閉塞するもので、上皿本体３６０内に設けられるものである。
【００８９】
しかして、遊技者が操作部３８１をスプリング３８０の付勢力に抗して一方向に移動させることにより、玉抜きレバー３７９、連結部材３８５及び図示しない玉抜き弁が移動して上皿本体３６０の貯留部３６１に貯留されていた玉を整列部３６２から上皿本体３６０の内部に形成される玉抜き路（図示しない）を流下させ、上皿部５０１の下部中央に穿設される玉抜き穴３８８から前記誘導ボックス部材１１９の玉抜き入口１２２に導き、排出口１２３から接続樋１５０の誘導樋部１５１を介して下皿７に誘導するものである。なお、上記した玉抜きレバー収納部材３７８および連結部材３８５は、玉抜き用カバー３８９によって覆われているが、その玉抜き用カバー３８９は、上皿部５０１の裏面に突設される取付ボス３９０にビス３９１で止着されるようになっている。
【００９０】
ところで、上皿本体３６０は、図３に示すように、その上流側に形成される賞球開口３３６とその下流側に形成される玉送り部材用開口３７１（図１１参照）とを連絡するように貯留部３６１と整列部３６２とを有して形成されており、その整列部３６２の中程底面裏面に上皿玉検出器（図示しない）が設けられている。この上皿玉検出器は、整列部３６２に残留する打玉を検出するものである。この上皿玉検出器の作用については、後に詳述する。
【００９１】
上記した賞球開口３３６の裏面には、図１１に示すように賞球接続樋３３７が取り付けられている。この賞球接続樋３３７は、賞球開口３３６の左右外側に突設される取付ボス３３９に左右の取付片（符号なし）に対応させてビス３４０で止着するものであり、また、後面開口の下部に突出するように落下防止部材３３８が揺動自在に設けられている。この落下防止部材３３８は、前面開閉枠４を枠基体３に対して閉じているときには、前記上皿流出用開口１０９の前面側周囲と当接して賞球接続樋３３７の下部位置にくるように揺動して上皿流出用開口１０９から賞球接続樋３３７への賞球の流下をスムーズならしめるものであるが、前面開閉枠４を枠基体３に対して開放したときに図示しないバネの付勢力で賞球接続樋３３７の後面開口の下部に突出して賞球接続樋３３７部分に貯留される賞球が後面側から溢れ落ちないように防止するものである。
【００９２】
また、上記した玉送り部材用開口３７１には、揺動部材３７４を有する玉送り部材３７２が臨むようになっている。この玉送り部材３７２は、図１１に示すように、その左右部に一体的に形成される嵌合取付ボス３７３を上皿本体３６０の下流端に形成される取付ボス（図示しない）に嵌合させて取り付け、玉送り部材用開口３７１の近傍に突設される取付ボス３７６にビス３７５ａによって揺動自在に止着される止め金３７５によってその背面が押圧されて脱落しないように取り付けられるものである。しかして、上記のように取り付けられる玉送り部材３７２は、整列部３６２から供給される打玉を受け入れ、前記打球発射装置１９５の打球槌の往復動作に連動して揺動する揺動部材３７４の動作に応じて打玉を１個ずつ発射レール１１７の発射位置に供給するものである。
【００９３】
また、上皿本体３６０には、その内部に表示部基板３６３とブザー４００が内蔵されている。この圧電ブザー４００は、図１に示すように、貯留部３６１の下部空間の前面に形成される複数の透音孔４０１に臨んで配置されるものであり、前記カードユニット装置１１に基づく遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００９４】
一方、表示部基板３６３は、上皿本体３６０の整列部３６２の前方部を被覆するように取り付けられる半透明合成樹脂（スモーク）で形成される透視レンズ部３７０の内部に設けられ、その透視レンズ部３７０に３つのボタンが臨んでいる。この３つのボタンは、表示部基板３６３に実装される玉貸スイッチ３６４、返却スイッチ３６５、自動玉貸スイッチ３６６に対応している。そして、これらの各スイッチ３６４〜３６６は、弾球遊技機１に隣接して設けられるカードユニット装置１１を介して遊技玉を借り受ける際に操作する操作部を構成するものである。また、表示部基板３６３には、度数表示ＬＥＤ３６７、玉貸可表示ＬＥＤ３６８、及び自動玉貸表示ＬＥＤ３６９が実装されている。
【００９５】
玉貸スイッチ３６４は、玉貸可表示ＬＥＤ３６８が点灯しているときにカードユニット装置１１によって遊技玉を借り受ける際に操作するものであり、返却スイッチ３６５は、遊技終了の際にカードユニット装置１１のカード挿入口３３に差し込まれたカードを返却するためのものである。また、度数表示ＬＥＤ３６７は、カードユニット装置１１のカード挿入口１４に差し込まれたカードの残額が表示されるものである。また、自動玉貸スイッチ３６６は、借り受けるべき遊技玉を前記玉貸スイッチ３６４を操作して行うマニュアルモードと、上皿６の打玉の残量が前記上皿玉検出器によって検出されなくなったときに自動的に遊技玉を払い出す自動モードと、のいずれかのモードに設定するものであり、自動モードが選択設定されているときには、自動玉貸表示ＬＥＤ３６９が点灯している。なお、上皿本体３６０に設けられる上記した玉貸スイッチ３６４、返却スイッチ３６５、度数表示ＬＥＤ３６７、自動玉貸スイッチ３６６、自動玉貸表示ＬＥＤ３６９、上皿玉検出器、及びブザー４００から延びる上皿配線３４７は、図１２に示すように前記玉抜き穴３８８のやや上部に開設された配線貫通穴３９２を通って前面開閉枠４の裏面側に導き出され、その後、配線押え部材３４１に纏められて前記配線通し開口１３４から枠基体３の裏面に引き出されて前記賞球払出制御基板７３に設けられるコネクタに接続されている。
【００９６】
なお、上述した自動モードを選択している場合の利点について説明すると、前述した遊技盤１６の遊技内容において大当り遊技状態が発生すると、短時間に多量の入賞玉を獲得するチャンスがある。このように大当り遊技状態という遊技者にとって極めて大きなチャンスは、上皿６の残留玉がほとんどなくなった時点で発生する場合もあり、このような場合、続けて打玉を発射させて打玉を可変入賞球装置１８の特定入賞領域に入賞させる必要があるにも拘らず、打玉が上皿６に残存しないので、慌てて玉貸スイッチ３６４を操作して遊技玉を借り受けなければならない。しかし、玉貸スイッチ３６４を操作してから遊技玉が払い出され、しかもその玉が発射されて可変入賞球装置１８の特定入賞領域に到達するまでに多少の時間がかかるため、その時間の間に有利なチャンス（継続権の成立）を逃してしまうという不都合があるが、自動玉貸スイッチ３６６を自動モードに設定しておけば、上皿玉検出器が打玉の不存在を検出した時点で自動的に遊技玉を上皿６に払い出すので、上記したような不都合は生じない。なお、上皿６として上記した制御を行わないならば、上皿玉検出器及び自動玉貸スイッチ３６６を省略したものでも良い。
【００９７】
上記のように構成される上皿本体３６０は、図４に示すように、上皿本体３６０の裏面の適宜箇所に後方に向かって突設される取付ボス４０２を前面開閉枠４の上皿部５０１に穿設される嵌合穴４０３に嵌合して裏面から図示しないネジで螺着することにより、前面開閉枠４の下部前面に強固に取り付けられている。なお、上皿本体部３６０の上流側と次に詳述する起伏部３３３の隆起した部分が当接してしまうので、起伏部３３３には、上皿本体部３６０の上流側が嵌合するような嵌合切欠部４０４が形成されている。更に、上皿本体３６０を取り付けた状態で前記整列部３６１に対応する部分には、流下する打玉によって前面開閉枠４の前面側が摩耗しないように摩耗防止金属板４０５が取り付けられるようになっている。
【００９８】
以上で透明板保持部５００及び上皿部５０１の細かい構成部分について説明したが、次には、出願人が本実施形態に係る前面開閉枠４の特徴と考える部分について説明する。
【００９９】
第１の特徴としては、軸支側の下部から中程にかけて上皿部５０１と透明板保持部５００とに亘って縦方向に起伏部３３３が形成されている点である。起伏部３３３は、後面が中空となるように前方に向かって波状に形成される。また、本実施形態のように透明板保持部５００と上皿部５０１とが合成樹脂によって一体的に形成されているので、上皿部５０１の表面に上皿６が取り付けられることにより大型の透視窓５が形成されていることによって強度的に弱い透明板保持部５００を補強しているが、さらに起伏部３３３によっても補強されるので、前面開閉枠４の全体の強度が向上し、前面開閉枠４が破損しやすいという欠点がなくなる。なお、起伏部３３３には、イヤホーンジャック３３４とイヤホーンジャック３３４から聞こえる音楽を選択するための選択スイッチ３３５が設けられるようになっているが、仮にこれらが設けられた場合には、後述する配線押え部材３４１でそれらの配線を１つに纏めるようにすれば良い。
【０１００】
第２の特徴としては、前面開閉枠４を枠基体３に対して開閉自在に軸支する構造である。即ち、図１１に示すように、前面開閉枠４の上下には、長方形状の係止金具３４８をビス３５１で止着するための複数（４つ）の取付ボス３５０がそれぞれ突設されている。上部の係止金具３４８は、図１２に示すように、前記スピーカ取付カバー３０３の上面を覆うように取り付けられている。また、上下の係止金具３４８には、それぞれ長方形状に切り欠けられた係止切欠部３４９が形成され、この係止切欠部３４９に枠基体３の上下に取り付けられる連結蝶番１０１の連結片１０２が係合されるようになっている。即ち、図１７（Ａ）（Ｂ）に示すように、前面開閉枠４を枠基体３の前方やや上部から当接させながら、下方に降ろすことにより、連結蝶番１０１の連結片１０２と係止金具３４８の係止切欠部３４９とを極めて簡単に係合させることができる。そして、そのように係合させるだけで前面開閉枠４が枠基体３に対して開閉自在に軸支されるものである。逆に取り外す時には、施錠装置２１０による施錠を解いた状態で前面開閉枠４を持ち上げるだけで極めて簡単に枠基体３から前面開閉枠４を取り外すことができる。
【０１０１】
このように前面開閉枠４と枠基体３とが極めて簡単に取り付けたり取り外したりすることができるので、従来のように透明板保持枠及び上皿取付枠をヒンジ機構で開閉自在に設けたものに比べて、大掛かりな修理（例えば、遊技盤１６の遊技装置を交換する場合等）や点検時に前面開閉枠４が邪魔となることはなく、それらの作業が行いやすいという優れた効果を奏することができる。なお、前面開閉枠４の取付・取り外しの際には、連結蝶番１０１を手前側に引き出した状態で行うことにより、連結部を見ながら行うことができるので、さらに簡単に行うことができる。
【０１０２】
第３の特徴としては、透明板保持部５００と上皿部５０１とが合成樹脂で一体的に成形されたことに関連して透明板保持部５００に設けられる電気部品であるスピーカ３０２のスピーカ配線３４６と上皿取付部５０１に設けられる電気部品である上皿配線３４７とを１つの纏めた後に枠基体３の裏面側に導くようにしたことである。即ち、図１１及び図１２に示すように、前記下部の係止金具３４８のやや上部の前面開閉枠４の裏面に突設される取付ボス３４５には、配線押え部材３４１の上下に突設される取付片３４３を対応させてビス３４４を止着することにより、配線押え部材３４１が止着されている。配線押え部材３４１は、ほぼ長方形状に形成されており、その側面及び後面に配線を引っかける配線係止片３４２が突設されている。しかして、前述したように配線押え片３３１と配線押え突起３３２とによって補強防犯金具３２４，３２５の内部に敷設されたスピーカ配線３４６は、図１４に示すように、側方最下部の配線押え片３３１と配線押え突起３３２から配線押え部材３４１の上部に導き出されて側面の配線係止片３４２に掛け止められ、その後、後面に突設される配線係止片３４２に掛け止められている。一方、上皿配線３４７は、前記配線貫通穴３９２から引き出された後、前記賞球接続樋３３７の下側から側面に沿って敷設されて側面の配線係止片３４２に掛け止められ、その後、後面に突設される配線係止片３４２に掛け止められている。配線押え部材３４１の配線係止片３４２に掛け止められたスピーカ配線３４６及び上皿配線３４７は、１つに纏められて枠基体３に開設される配線通し開口１３４から枠基体３の後面側に導かれ、スピーカ配線３４６は、前記装飾制御回路基板２０１のコネクタ２０２に接続され、上皿配線３４７は、前記賞球払出制御基板７３のコネクタに接続される。なお、配線押え部材３４１の側面に突設される配線係止片３４２は、図１２に示すように、鍵型の突片が上下から突設されて相互の隙間から配線３４６，３４７を挿入し得るようになっているが、簡単にはずれないような構造であればどのようなものであってもよい。
【０１０３】
しかして、透明板保持部５００に設けられる電気部品としてのスピーカ３０２からのスピーカ配線３４６と上皿部５０１に設けられる電気部品としての表示部基板３６３からの上皿配線３４７とを配線押え部材３４１で１か所に纏めた後、１つの配線通し開口１３４から枠基体３の裏面側に導くようにしたので、従来のようにそれぞれの配線を別々の配線通し開口を介して裏面に導く場合に比べて、前面開閉枠４を枠基体３に組み付けたときの配線接続作業を迅速且つ簡潔に行うことができる。特に、本実施形態の場合には、配線通し開口１３４を前面開閉枠４の軸支側に設けると共に配線３４６，３４７を纏める配線押え部材３４１を配線通し開口１３４の近傍に配置し、更に配線３４６，３４７の接続先の装飾制御回路基板２０１及び賞球払出制御基板７３を同じく前面開閉枠４の軸支側に設けると共に配線通し開口１３４の近傍に配置したので、配線３４６，３４７の開閉に伴う余裕部（配線の弛み）を最小限に抑えることができると共に、配線の敷設作業を他の部品に煩わされることなく簡単に行うことができる。なお、上記した実施形態においては、透明板保持部５００に設けられる電気部品としてスピーカ３０２だけとしたが、ランプやＬＥＤを設けてもよい。
【０１０４】
第４の特徴としては、前面開閉枠４を開放したことを検出するドアスイッチ９６を設け、そのドアスイッチ９６が前面開閉枠４の開放を検出したときに賞球払出装置５８の払出動作が停止される点である。この動作について図２０のフロー図を参照して説明する。なお、動作説明する前にドアスイッチ９６のＯＮ・ＯＦＦの検出は、図１２及び図１３に示すように、ドアスイッチ９６の取付位置に対応する前面開閉枠４の裏側にスイッチ押圧凸部３５２が突設され、これが図１６（Ａ）（Ｂ）に示すように、前面開閉枠４の開閉に伴ってドアスイッチ９６をＯＮ・ＯＦＦさせるものである。
【０１０５】
図２０において、ステップＳ１で玉切れか否かが判別され、ステップＳ２で開放中か否かが判別され、ステップＳ３で入賞球が有りか否かが判別される。玉切れは、前記通路体５６の玉検出センサ５７によって判別され、開放中は、ドアスイッチ９６によって判別され、入賞球の有無は、入賞玉検出器６６によって判別される。しかして、玉切れである、開放中である、入賞球が無いと判別されたときには、以下のステップＳ４〜ステップＳ１０の処理を実行することなく賞球払出制御が終了するので、賞球払出動作が行われることはない。
【０１０６】
一方、玉切れでなく開放中でもないときに入賞球があると判別されたときには、ステップＳ４で賞球個数信号を賞球払出制御基板７３から遊技制御基板ボックス３３に収納される遊技制御基板に要求し、ステップＳ５で要求した賞球個数信号を受信したと判別されたときにステップＳ６で賞球払出装置５８に賞球払出要求信号を出力し、それと同時にステップＳ７で入賞玉処理装置の入賞玉排出ソレノイド６８に入賞球排出要求信号を出力する。その後、ステップＳ８で賞球払出装置５８の払出検出センサーからの信号を受信し、その受信信号が払出要求分の個数に達したとステップＳ９で判別されたときに、ステップＳ１０で賞球払出停止要求信号を出力して賞球払出装置５８のステッピングモータを停止させて賞球の払出動作を停止する。なお、上記したフロー図においては、賞球の払出動作の途中で玉切れが検出されたとき又は前面開閉枠４の開放が検出されたときには、当該賞球払出動作が終了した後、次の入賞球による払出動作を停止するようになっているが、玉切れが検出されたとき又は前面開閉枠４の開放が検出されたときに直ちに賞球の払出動作を停止するようにしてもよい。また、図２０に示す動作説明では、ステップＳ２の段階で開放による賞球払出制御を終了しているようにしているが、遊技者側に賞球が排出されないのであれば、どの段階のステップで賞球払出制御を終了させるようにしてもよい。
【０１０７】
上記したように、本実施形態で前面開閉枠４を開放したときに賞球払出動作を停止するようにした理由は、以下の通りである。即ち、本実施形態においては、合成樹脂製の前面開閉枠４の強度を増すために、従来分離されて独立して開閉自在に設けられていた透明板保持部５００と上皿部５０１とを一体化したため、透明板保持部５００だけを開放するということはできず、透明板保持部５００を開放したときには、上皿部５０１も開放されてしまうという構造になった。このため、例えば、遊技盤１６における遊技が大当り遊技状態となって短時間に多量の入賞玉が発生している最中に、遊技盤１６の盤面上で玉詰まり等のトラブルが生じたときに、その玉詰まりを解消するために前面開閉枠４を開放しなければならないが、多量に発生した入賞玉によって賞球が払い出され続けるので、前面開閉枠４を開放したときに、上皿流出用開口１０９から勢いよく賞球が飛び出して弾球遊技機１から外に溢れ出してしまうという虞れがある。このような事態を招かないためには、発生した入賞玉による賞球の払出動作が終了するまで待った後に前面開閉枠４を開放する必要があるが、その待っている間に大当り遊技状態が中断してしまうこともあり得るので、そのような待ってから前面開閉枠４を開放するということも得策ではない。しかして、上記のような欠点を解消するために、上記した動作のように、前面開閉枠４を開放したときに賞球の払出動作を中断させることにより、上皿流出用開口１０９から溢れ出る賞球の数を少なくして、短時間のうちに前面開閉枠４を開放して必要な処置を施すことができるようにしたものである。
【０１０８】
特に、本実施形態のように、ドアスイッチ９６が前面開閉枠４の開放側辺に位置し、しかも上皿６の賞球接続樋３３７に連通する上皿流出用開口１０９が前面開閉枠４の軸支側にある場合には、前面開閉枠４を僅かに開放した時点でドアスイッチ９６を働かせて賞球の払出動作を停止させ、そのドアスイッチ９６を働かせたとき、上皿流出用開口１０９と賞球接続樋３３７の後端との隙間は、賞球が溢れ落ちるほどの間隔もないので賞球が溢れ落ちることはない。そして、その後、前面開閉枠４をさらに少し開放して上皿流出用開口１０９と賞球接続樋３３７との隙間から賞球を下方に向けて落下せしめて誘導ボックス部材１１９の溢れ玉入口１２０に導き、その状態を僅かな時間保つことにより、上皿連通口６１の側壁６２部分から前方の下流側に貯留された賞球をすべて誘導ボックス部材１１９に落下せしめることができ、その後、前面開閉枠４を開放させて上記した処置を施すことができ、１つの賞球をも外にこぼすことなく前面開閉枠４の開放動作を行うことができるという著しい効果を奏するものである。
【０１０９】
【発明の効果】
以上、説明したところから明らかなように、本発明においては、少なくとも遊技盤の遊技領域を透視し得る透視窓に取り付けられる透明板を有する透明板保持部と、発射すべき打玉を貯留して発射位置に誘導する貯留部と、が遊技盤を装着する枠基体に対して開閉自在に設けられる弾球遊技機において、透明板保持部と貯留部とが合成樹脂によって一体的に形成された前面開閉枠によって構成されると共に、その前面開閉枠には、透明板保持部と貯留部とに亘って縦方向に起伏部を形成したので、大型の透視窓が形成されていることによって強度的に弱い透明板保持部を表面に貯留部が一体的に形成されることによって補強されることに加えて、起伏部によっても補強されるので、前面開閉枠の全体の強度が向上し、破損しやすいという欠点がなくなる。
【０１１０】
また、前面開閉枠の裏側には、その左右両端辺に沿って金属製の補強部材を設けることにより、更に、前面開閉枠の強度を増し、前面開閉枠の裏側には、その上辺に沿って金属製の補強部材を設けることにより、捩れ方向に対する強度も向上する。
【０１１１】
また、前面開閉枠には、その周縁に沿って後方に向かって突設される補強周枠リブを一体的に形成すると共に金属製の補強部材としての補強防犯金具に前記補強周枠リブより高い防犯立片を一体的に形成する一方、枠基体の周辺に防犯立片が挿入される防犯溝を形成することにより、前面開閉枠を閉じたときに、防犯立片が防犯溝に侵入するので、前面開閉枠と枠基体との境目からピアノ線等の細い針金を差し込む不正を防止することができる。
【図面の簡単な説明】
【図１】
実施形態に係る弾球遊技機の正面図である。
【図２】
弾球遊技機の背面図である。
【図３】
前面開閉枠を備えた枠基体の前方から見た斜視図である。
【図４】
枠基体の前方に装着される前面開閉板と下皿と枠基体との関係を示す分解斜視図である。
【図５】
機構板を開放して枠基体から遊技盤を取り外した状態の弾球遊技機の斜視図である。
【図６】
枠基体の正面図である。
【図７】
枠基体の背面図である。
【図８】
下皿セット板の灰皿の取り付け構造を示す断面図である。
【図９】
下皿セット板の操作ハンドル部分の断面図である。
【図１０】
施錠装置の分解斜視図である。
【図１１】
前面開閉枠の背面から見た分解斜視図である。
【図１２】
前面開閉枠の背面図である。
【図１３】
外枠に対して枠基体及び前面開閉枠を開放した状態の弾球遊技機の斜視図である。
【図１４】
枠基体に対して前面開閉枠を開放したときの配線の状態を示す部分斜視図である。
【図１５】
枠基体に対する前面開閉枠の施錠を説明するための断面図である。
【図１６】
枠基体に対して前面開閉枠を閉じたときのドアスイッチの作用を説明するための断面図である。
【図１７】
前面開閉枠の枠基体に対する軸支構造を説明するための平面断面図である。
【図１８】
前面開閉枠に対して取り付けられる複層ガラス板の取付構造を説明するための断面図である。
【図１９】
前面開閉枠の裏面に敷設される配線の処理構造を説明するための部分背面図である。
【図２０】
前面開閉枠を開放動作と賞球払出装置の動作との関係を説明するためのフロー図である。
【符号の説明】
１  弾球遊技機
２  外枠
３  枠基体
４  前面開閉枠
５  円形透視窓（透視窓）
６  上皿
１６  遊技盤
２２  遊技領域
４０  機構板
５８  賞球払出装置
７３  賞球払出制御基板（回路基板）
９６  ドアスイッチ（検出手段）
１０３  防犯溝
１０９  上皿流出用開口
１１７  発射レール
１３４  配線通し開口
２００  装飾制御回路基板ボックス
２０１  装飾制御回路基板（回路基板）
３００  補強周枠リブ
３０２  スピーカ（電気部品）
３２２，３２３，３２４，３２５  補強防犯金具（補強部材）
３２９  防犯立片
３３３  起伏部
３３７  賞球接続樋
３４１  配線押え部材
３４２  配線係止片
３４６  スピーカ配線
３４７  上皿配線
３６３  表示部基板（電気部品）
３６４  玉貸スイッチ
３６５  返却スイッチ
３６６  自動玉貸スイッチ
３６７  度数表示ＬＥＤ
３６８  玉貸可表示ＬＥＤ
３６９  自動玉貸表示ＬＥＤ
３９４  複層ガラス板
４００  ブザー
５００  透明板保持部
５０１  上皿部（貯留部）